(57)【要約】【課題】放射能測定を行う際の作業者による操作性を向上し、誤入力を防止することができる入力支援装置を実現する。【解決手段】入力支援装置１００は、試料の採取場所に貼付されたバーコードラベル４１から読み取られたバーコードデータに基づいて、該当する所定の試料情報を入力データに使用する。【選択図】　　図１
2004028658.tif 000002
【特許請求の範囲】
【請求項１】
放射能測定に関する作業上の入力を支援する入力支援装置であって、
携帯端末との間でデータを送受する通信手段と、
前記携帯端末から受信した試料特定情報に基づく試料情報、又は、前記携帯端末から受信した試料情報を、入力データに使用する入力制御手段と、
を備えたことを特徴とする入力支援装置。
【請求項２】
前記試料特定情報と所定の試料情報とを対応付けて記憶する試料情報記憶手段を備え、
前記入力制御手段は、前記受信した試料特定情報が前記試料情報記憶手段に登録されていた場合に、前記試料情報記憶手段から該当する試料情報を読み出して入力データに使用する
ことを特徴とする請求項１に記載の入力支援装置。
【請求項３】
放射能測定に関する作業上の入力を支援する入力支援装置であって、
入力された画像データを解析して画像的な特徴を抽出し、所定の試料形状の特徴と評価し、前記画像データに対応する試料の形状を判定する画像認識手段と、
前記判定結果の試料形状を試料情報の入力データに使用する入力制御手段と、
を備えたことを特徴とする入力支援装置。
【請求項４】
放射能測定に関する作業上の入力を支援する入力支援装置であって、
放射能測定の作業予定と測定条件が予め登録されているスケジュール情報記憶手段から、当日分の前記作業予定を取得して表示する表示制御手段と、
前記スケジュール情報記憶手段の登録データを入力データに使用する入力制御手段と、
を備えたことを特徴とする入力支援装置。
【請求項５】
放射能測定に関する作業上の入力を支援する入力支援方法であって、
携帯端末から試料特定情報または試料情報を受信する過程と、
前記受信した試料特定情報に基づく試料情報、又は、前記受信した試料情報を、入力データに使用する過程と、
を含むことを特徴とする入力支援方法。
【請求項６】
放射能測定に関する作業上の入力を支援する入力支援方法であって、
入力された画像データを解析して画像的な特徴を抽出し、所定の試料形状の特徴と評価し、前記画像データに対応する試料の形状を判定する過程と、
前記判定結果の試料形状を試料情報の入力データに使用する過程と、
を備えたことを特徴とする入力支援方法。
【請求項７】
放射能測定に関する作業上の入力を支援する入力支援方法であって、
放射能測定の作業予定と測定条件が予め登録されているスケジュール情報記憶手段から、当日分の前記作業予定を取得して表示する過程と、
前記スケジュール情報記憶手段の登録データを入力データに使用する過程と、
を備えたことを特徴とする入力支援方法。
【請求項８】
放射能測定に関する作業上の入力を支援する入力支援処理を行うための入力支援プログラムであって、
携帯端末から試料特定情報または試料情報を受信する処理と、
前記受信した試料特定情報に基づく試料情報、又は、前記受信した試料情報を、入力データに使用する処理と、
をコンピュータに実行させることを特徴とする入力支援プログラム。
【請求項９】
放射能測定に関する作業上の入力を支援する入力支援処理を行うための入力支援プログラムであって、
入力された画像データを解析して画像的な特徴を抽出し、所定の試料形状の特徴と評価し、前記画像データに対応する試料の形状を判定する処理と、
前記判定結果の試料形状を試料情報の入力データに使用する処理と、
をコンピュータに実行させることを特徴とする入力支援プログラム。
【請求項１０】
放射能測定に関する作業上の入力を支援する入力支援処理を行うための入力支援プログラムであって、
放射能測定の作業予定と測定条件が予め登録されているスケジュール情報記憶手段から、当日分の前記作業予定を取得して表示する処理と、
前記スケジュール情報記憶手段の登録データを入力データに使用する処理と、
をコンピュータに実行させることを特徴とする入力支援プログラム。
【発明の詳細な説明】
【０００１】
【発明の属する技術分野】
本発明は、入力支援装置、入力支援方法および入力支援プログラムに関する。
【０００２】
【従来の技術】
近年、放射性物質の使用現場やその周辺地域などでは放射能核種の測定、分析が実施されている。この放射能測定システムは、放射性核種を検出する放射能測定装置と、放射能測定装置と接続されているコンピュータから構成され、放射能測定装置で検出された放射性核種をコンピュータにおいて測定及び分析することが可能となってきている。作業者は、測定条件や試料情報などをコンピュータに入力して測定及び分析を実施する。
【０００３】
【発明が解決しようとする課題】
しかしながら、放射性核種の測定や分析をコンピュータで行う場合、試料の種類、形状、採取時刻、採取者名、採取場所、測定位置、効率情報、バックグランドなど、多数の入力項目の内容を作業者が自分で考えて入力しなければならず、放射性核種測定に関して知識を有する者（熟練者）でないと、入力が容易ではないという問題がある。また、多数の入力候補を有する入力項目もあり、作業者が誤入力する恐れもある。このため、放射能測定を行う際の作業者による操作性を向上し、誤入力を防止することができる入力支援装置が要望されている。
【０００４】
また、原子力発電所など大規模な設備を有しているところでは、測定箇所や測定回数が多く、測定作業の管理が大変であるという問題もある。
【０００５】
本発明は、上記事情に鑑みてなされたもので、放射能測定を行う際の作業者による操作性を向上し、誤入力を防止することができる入力支援装置、入力支援方法および入力支援プログラムを提供することを目的とする。
【０００６】
また、本発明は、測定作業の管理を容易に実現することができる入力支援装置、入力支援方法および入力支援プログラムを提供することも目的とする。
【０００７】
【課題を解決するための手段】
上記の課題を解決するために、本発明の入力支援装置では、放射能測定に関する作業上の入力を支援する入力支援装置であって、携帯端末との間でデータを送受する通信手段と、前記携帯端末から受信した試料特定情報に基づく試料情報、又は、前記携帯端末から受信した試料情報を、入力データに使用する入力制御手段と、を備えたことを特徴とする。
【０００８】
また、本発明の入力支援装置では、前記試料特定情報と所定の試料情報とを対応付けて記憶する試料情報記憶手段を備え、前記入力制御手段は、前記受信した試料特定情報が前記試料情報記憶手段に登録されていた場合に、前記試料情報記憶手段から該当する試料情報を読み出して入力データに使用することを特徴とする。
【０００９】
上記の課題を解決するために、本発明の入力支援装置では、放射能測定に関する作業上の入力を支援する入力支援装置であって、入力された画像データを解析して画像的な特徴を抽出し、所定の試料形状の特徴と評価し、前記画像データに対応する試料の形状を判定する画像認識手段と、前記判定結果の試料形状を試料情報の入力データに使用する入力制御手段と、を備えたことを特徴とする。
【００１０】
上記の課題を解決するために、本発明の入力支援装置では、放射能測定に関する作業上の入力を支援する入力支援装置であって、放射能測定の作業予定と測定条件が予め登録されているスケジュール情報記憶手段から、当日分の前記作業予定を取得して表示する表示制御手段と、前記スケジュール情報記憶手段の登録データを入力データに使用する入力制御手段と、を備えたことを特徴とする。
【００１１】
上記の課題を解決するために、本発明の入力支援方法では、放射能測定に関する作業上の入力を支援する入力支援方法であって、携帯端末から試料特定情報または試料情報を受信する過程と、前記受信した試料特定情報に基づく試料情報、又は、前記受信した試料情報を、入力データに使用する過程と、を含むことを特徴とする。
【００１２】
上記の課題を解決するために、本発明の入力支援方法では、放射能測定に関する作業上の入力を支援する入力支援方法であって、入力された画像データを解析して画像的な特徴を抽出し、所定の試料形状の特徴と評価し、前記画像データに対応する試料の形状を判定する過程と、前記判定結果の試料形状を試料情報の入力データに使用する過程と、を備えたことを特徴とする。
【００１３】
上記の課題を解決するために、本発明の入力支援方法では、放射能測定に関する作業上の入力を支援する入力支援方法であって、放射能測定の作業予定と測定条件が予め登録されているスケジュール情報記憶手段から、当日分の前記作業予定を取得して表示する過程と、前記スケジュール情報記憶手段の登録データを入力データに使用する過程と、を備えたことを特徴とする。
【００１４】
上記の課題を解決するために、本発明の入力支援プログラムでは、放射能測定に関する作業上の入力を支援する入力支援処理を行うための入力支援プログラムであって、携帯端末から試料特定情報または試料情報を受信する処理と、前記受信した試料特定情報に基づく試料情報、又は、前記受信した試料情報を、入力データに使用する処理と、をコンピュータに実行させることを特徴とする。
これにより、前述の入力支援装置がコンピュータを利用して実現できるようになる。
【００１５】
上記の課題を解決するために、本発明の入力支援プログラムでは、放射能測定に関する作業上の入力を支援する入力支援処理を行うための入力支援プログラムであって、入力された画像データを解析して画像的な特徴を抽出し、所定の試料形状の特徴と評価し、前記画像データに対応する試料の形状を判定する処理と、前記判定結果の試料形状を試料情報の入力データに使用する処理と、をコンピュータに実行させることを特徴とする。
これにより、前述の入力支援装置がコンピュータを利用して実現できるようになる。
【００１６】
上記の課題を解決するために、本発明の入力支援プログラムでは、放射能測定に関する作業上の入力を支援する入力支援処理を行うための入力支援プログラムであって、放射能測定の作業予定と測定条件が予め登録されているスケジュール情報記憶手段から、当日分の前記作業予定を取得して表示する処理と、前記スケジュール情報記憶手段の登録データを入力データに使用する処理と、をコンピュータに実行させることを特徴とする。
これにより、前述の入力支援装置がコンピュータを利用して実現できるようになる。
【００１７】
【発明の実施の形態】
以下、図面を参照し、本発明の入力支援装置、入力支援方法および入力支援プログラムの好適な実施形態について詳細に説明する。
図１は、本実施形態に係る入力支援装置１００を備えた放射能測定システムの構成例を示した図である。
図１において、入力支援装置１００には、ＭＣＡ（マルチチャネル分析器）２０が接続されている。また、ＭＣＡ２０は、放射能測定装置１０と接続されている。放射能測定装置１０の遮蔽体には採取された試料がセットされており、放射能測定装置１０で測定した試料の測定結果を図示のようなスペクトルデータに変換し、入力支援装置１００に入力するようになっている。入力支援装置１００は通信ネットワーク３０に接続してデータ通信を行うことができる。
【００１８】
配管４０は、放射能測定に使用する試料の採取場所の一つである。配管４０には、バーコードラベル４１が貼付されている。バーコードリーダ５０（携帯端末）はバーコードラベル４１からバーコードデータを読み取って保持する。このバーコードデータ５０は、当該採取場所で採取する試料を特定する試料特定情報である。携帯電話機５１は通信ネットワーク３０に接続してデータ通信を行うことができる。バーコードリーダ５０は、バーコードデータを携帯電話機５１へ出力し、携帯電話機５１により通信ネットワーク３０を介して入力支援装置１００へ該バーコードデータを転送することができる。
【００１９】
入力支援装置１００は、放射性核種の解析装置として機能し、ＭＣＡ２０から入力されたスペクトルデータに基づいて、γ線核種の分析を行う。すなわち、入力支援装置１００は、スペクトルデータに該当する放射能が何であるかを測定、分析し、分析結果を出力するようになっている。
【００２０】
図２は、入力支援装置１００の具体的な構成を示した図である。図２に例示されるように、入力支援装置１００は、パーソナルコンピュータやワードプロセッサなどを含むコンピュータシステムによって構成されている。
入力支援装置１００は、図２に示すようにシステム全体を制御するための制御部１１を備えている。この制御部１１には、データバスなどのバスラインを介して、キーボード１２、マウス１３などの入力装置、スピーカ１６、表示装置１５、記憶装置１７、通信制御装置を有するネットワークインタフェース１８、シリアルデータの入出力インタフェース（シリアルデータインタフェース）１９、また、必要に応じて、記憶媒体駆動装置が接続されている。ネットワークインタフェース１８により通信ネットワーク３０と接続してデータ通信することができる。また、シリアルデータインタフェース１９により外部機器とケーブル接続して、データ通信することができる。
【００２１】
制御部１１は、ＣＰＵ（中央処理装置）１１１、ＲＯＭ（リードオンリメモリ）１１２、ＲＡＭ（ランダムアクセスメモリ）１１３を備えている。また、スピーカ１６は、作業者に対する入力支援として、表示装置１５に表示された内容などの音声出力を行う音声出力装置である。
【００２２】
表示装置１５は、例えばＣＲＴ（Ｃａｔｈｏｄｅ−ｒａｙ　Ｔｕｂｅ）や液晶ディスプレイなどが使用される。この表示装置１５には、キーボード１２、マウス１３からの操作入力に応じて、γ線核種分析に関する各画面などが表示されるようになっている。また、表示装置１５をタッチパネルとして機能させることも可能であり、この場合、作業者は、表示装置１５に表示された画面上の所定個所をタッチすることにより、必要事項の入力や選択を行うことができる。
【００２３】
記憶装置１７は、読み書き可能な記憶媒体と、その記憶媒体に対してプログラムやデータなどの各種情報を読み書きするための駆動装置で構成され、γ線核種分析プログラム１７１、データ格納部１７２の他、適宜プログラムやデータなどを格納している。データ格納部１７２は試料情報テーブル１７２１とスケジュールテーブル１７２２と画像情報テーブル１７２３とを有する。
【００２４】
図３に試料情報テーブル１７２１の一例を示す。図３に示すように、試料情報テーブル１７２１には、バーコードデータ毎に所定の試料情報が記録される。試料情報には、採取場所の施設名、試料名、試料材質などがある。
図４にスケジュールテーブル１７２２の一例を示す。スケジュールテーブル１７２２は測定作業の予定が登録されるものである。図４に示すように、スケジュールテーブル１７２２には、測定予定日時毎に測定条件が記録される。測定条件には、採取場所の施設名、試料名、試料材質などがある。
【００２５】
図５に画像情報テーブル１７２３の一例を示す。画像情報テーブル１７２３は試料形状を画像認識により判定する際に使用されるものである。図５に示すように、画像情報テーブル１７２３には、判定用データと試料形状とが対応付けされて記録される。判定用データは、対応付けされている試料形状の画像的特徴を示すデータである。画像処理により試料の画像データを解析して特徴を抽出し、得たデータと判定用データとを評価することによって、当該試料が該判定用データに対応する試料形状のものであるか否かを判断することができる。
【００２６】
なお、上記各テーブル１７２１〜１７２３の登録内容は、入力支援装置１００の入力装置により変更することができる。あるいは、通信ネットワークを介して外部の端末から変更データを入力支援装置１００へ転送することにより変更することができる。
【００２７】
γ線核種分析プログラム１７１は、γ線を含む核種（１４４Ｃｅ，９９Ｍｏなど）を対象に測定、分析、分析結果の出力、及び測定や分析に使用するデータの入力支援、測定スケジュール管理、試料形状の画像認識、などを行うプログラムである。このプログラムにより入力支援装置１００としての機能が実現される。制御部１１は、上記γ線核種分析プログラム１７１に従って動作し、入力支援装置１００の各部を制御する。
【００２８】
次に、図６、図７を参照して入力支援装置１００が行う入力支援に係る動作を説明する。図６は、制御部１１がバーコードデータを使用して行う入力支援処理の流れを示すフローチャートである。図７は、制御部１１が試料形状を画像認識して行う入力支援処理の流れを示すフローチャートである。
初めに、図６を参照してバーコードによる入力支援について説明する。図１において、作業者は、採取場所である配管４０から試料を採取し、バーコードリーダ５０を使用して配管４０に貼付されているバーコードラベル４１からバーコードデータを読み取る。次いで、作業者は、バーコードリーダ５０と携帯電話機５１を接続し、読み取ったバーコードデータを入力支援装置１００へ転送する。入力支援装置１００は、受信したバーコードデータをデータ格納部１７２に記録する。
【００２９】
次いで、作業者は、試料を持ち帰り、放射能測定装置１０の遮蔽体に該試料をセットして測定及び分析を開始する。ここで、作業者は、入力支援装置１００を操作して測定及び分析のためのデータを入力するための入力画面を呼び出す。この呼び出し操作により、入力支援装置１００の制御部１１は、図６の処理を開始する。
【００３０】
図６において、制御部１１は、先ず、入力済みのバーコードデータがデータ格納部１７２に記録されているか否かを確認し、入力済みのバーコードデータがあった場合にステップＳ１２へ進み、無かった場合にはステップＳ１５へ進む。
ステップＳ１２では、制御部１１は、試料情報テーブル１７２１を参照し、データ格納部１７２に記録されているバーコードデータと一致するバーコードデータが登録されているか確認する。ここで、データ格納部１７２に記録されているバーコードデータが複数存在していた場合には、それらバーコードデータを表示し、作業者がいずれかを選択できるようにする。
【００３１】
次いで、試料情報テーブル１７２１に登録済みであった場合、制御部１１は、該バーコードデータに対応する試料情報の登録データを読み出す。そして、読み出した登録データを試料情報の入力データに設定して、試料情報の入力画面を表示装置１５に表示させる（ステップＳ１４、Ｓ１５）。このように、バーコードデータに基づき該当する試料情報が自動的に入力データに設定されるので、作業者は、試料情報を自分で入力する必要がない。
【００３２】
一方、バーコード入力が無かった場合（ステップＳ１１で「ＮＯ」）や、入力されたバーコードデータが試料情報テーブル１７２１に未登録であった場合（ステップＳ１３で「ＮＯ」）には、ステップＳ１５において、制御部１１は、入力データを空きのまま、試料情報の入力画面を表示装置１５に表示させる。この場合には、作業者は試料情報を自分で入力する必要がある。
【００３３】
なお、作業者は、バーコードリーダ５０と入力支援装置１００をケーブル接続してバーコードデータをシリアルデータ転送してもよい。
また、バーコードリーダ５０は携帯情報端末（ＰＤＡ）に内蔵されるものであってもよい。この場合には、該携帯情報端末がデータ通信機能を有し、通信ネットワーク３０を介してバーコードデータを入力支援装置１００へ転送するようにしてもよい。あるいは携帯情報端末と入力支援装置１００をケーブル接続してバーコードデータをシリアルデータ転送してもよい。
【００３４】
また、作業者が試料採取場所で試料情報を携帯情報端末に入力し、入力支援装置１００へ通信ネットワーク３０を介して転送してもよい。あるいは携帯情報端末と入力支援装置１００をケーブル接続して試料情報をシリアルデータ転送してもよい。この場合には、入力支援装置１００は受信した試料情報を入力データに使用する。
また、バーコードデータと試料情報の一部を携帯情報端末から入力支援装置１００へ転送するようにしてもよい。この場合には、入力支援装置１００は受信した試料情報を入力データに使用し、足りない試料情報については受信したバーコードデータに該当する試料情報テーブル１７２１の試料情報の中から補う。
【００３５】
なお、上述した実施形態では、試料採取場所で採取する試料を特定する試料特定情報としてバーコードデータを用いたが、これに限定されない。例えば、機械的に読み取り可能あるいは視認可能な識別情報であってもよい。視認可能な識別情報の場合には、作業者がこの識別情報を携帯情報末に手入力して入力支援装置１００へ転送してもよい。
【００３６】
次に、図７を参照して試料形状の画像認識による入力支援について説明する。作業者は、採取した試料の外観を例えばデジタルカメラで撮影し、この画像データを入力支援装置１００へ入力する。入力支援装置１００は入力された画像データをデータ格納部１７２に記録する。
【００３７】
次いで、作業者はが、入力支援装置１００を操作して測定及び分析のためのデータを入力するための入力画面を呼び出すと、入力支援装置１００の制御部１１は、図７の処理を開始する。図７において、制御部１１は、入力済みの画像データがデータ格納部１７２に記録されていると、該画像データを画像処理により解析して画像的な特徴の抽出を行う（ステップＳ２２）。次いで、該画像処理によって得たデータと、画像情報テーブル１７２３の各判定用データとを評価し、当該試料の試料形状を判定する（ステップＳ２３）。
【００３８】
次いで、制御部１１は、この判定結果の試料形状を試料情報の入力データに設定して、試料情報の入力画面を表示装置１５に表示させる（ステップＳ２４、Ｓ２５）。このように、試料の画像データに基づき画像認識により試料形状が判定され、この判定結果の試料形状が試料情報の入力データに自動的に設定されるので、作業者は、試料情報の内、試料形状および試料形状に合わせた分析パラメータを自分で入力する必要がない。
【００３９】
一方、画像データ入力が無かった場合（ステップＳ２１で「ＮＯ」）には、ステップＳ２５において、制御部１１は、試料形状の入力データを空きのまま、試料情報の入力画面を表示装置１５に表示させる。この場合には、作業者は試料形状および試料形状に合わせた分析パラメータを自分で入力する必要がある。
【００４０】
次に、図８を参照して入力支援装置１００が行う測定スケジュール管理に係る動作を説明する。図８は、制御部１１が行う測定スケジュール管理処理の流れを示すフローチャートである。作業者が入力支援装置１００を起動すると、制御部１１は図８の処理を開始する。図８において、制御部１１は、先ずスケジュールテーブル１７２２を参照し、当日の測定作業の予定をチェックする（ステップＳ３１）。このチェックの結果、作業予定があった場合に、当日分の登録データを読み出して表示装置１５に表示させる（ステップＳ３３）。作業者は、この表示により当日の作業スケジュール及び測定条件を把握することができる。一方、当日分の測定作業予定がスケジュールテーブル１７２２に登録されていなかった場合には、制御部１１は、その処理を終了する。
【００４１】
なお、制御部１１は、スケジュールテーブル１７２２の登録データを入力データに使用することもできる。これにより、作業者の入力作業が楽になる。
また、制御部１１は、当日分の登録データに含まれる測定予定時間に、アラームを出力させることもできる。例えばスピーカ１６により警報音を発生することによって、測定時刻を報知する。
【００４２】
なお、スケジュールテーブル１７２２については、通信ネットワーク３０に接続されている外部のデータベースサーバに備えるようにして、入力支援装置１００は、通信により該データベースサーバ上のスケジュールテーブル１７２２へアクセスするようにしてもよい。この場合、複数の放射能測定システムの測定作業予定を該データベースサーバ上のスケジュールテーブル１７２２で、一括管理してもよい。このようにすれば、複数の放射能測定システムによる作業を能率よく管理することができる。
【００４３】
なお、本実施形態においては、試料情報テーブル１７２１が試料情報記憶手段に対応する。また、スケジュールテーブル１７２２がスケジュール情報記憶手段に対応する。また、制御部１１が入力制御手段と画像認識手段に対応する。
【００４４】
また、図６〜図８に示す各ステップを実現するためのプログラムをコンピュータ読み取り可能な記録媒体に記録して、この記録媒体に記録されたプログラムをコンピュータシステムに読み込ませ、実行することにより入力支援処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４６】
以上、本発明の実施形態を図面を参照して詳述してきたが、具体的な構成はこの実施形態に限られるものではなく、本発明の要旨を逸脱しない範囲の設計変更等も含まれる。
【００４７】
【発明の効果】
以上説明したように、本発明によれば、自動的に入力データが設定されるので、放射能測定を行う際の作業者による操作性を向上し、誤入力を防止することができる。また、測定作業予定を取得して表示するので、測定作業の管理を容易に実現することができる。
【図面の簡単な説明】
【図１】本実施形態に係る入力支援装置１００を備えた放射能測定システムの構成例を示した図である。
【図２】入力支援装置１００の具体的な構成を示した図である。
【図３】試料情報テーブル１７２１の一例を示す図である。
【図４】スケジュールテーブル１７２２の一例を示す図である。
【図５】画像情報テーブル１７２３の一例を示す図である。
【図６】制御部１１がバーコードデータを使用して行う入力支援処理の流れを示すフローチャートである。
【図７】制御部１１が試料形状を画像認識して行う入力支援処理の流れを示すフローチャートである。
【図８】制御部１１が行う測定スケジュール管理処理の流れを示すフローチャートである。
【符号の説明】
１０　　　放射能測定装置
１１　　　制御部
１２　　　キーボード
１３　　　マウス
１５　　　表示装置
１６　　　スピーカ
１７　　　記憶装置
１８　　　ネットワークインタフェース
１９　　　シリアルデータインタフェース
２０　　　ＭＣＡ
３０　　　通信ネットワーク
４０　　　配管
４１　　　バーコードラベル
５０　　　バーコードリーダ
５１　　　携帯電話機
１００　　入力支援装置
１７１　　γ線核種分析プログラム
１７２　　データ格納部
１７２１　試料情報テーブル
１７２２　スケジュールテーブル
１７２３　画像情報テーブル
【図１】
2004028658.tif 000003
【図２】
2004028658.tif 000004
【図３】
2004028658.tif 000005
【図４】
2004028658.tif 000006
【図５】
2004028658.tif 000007
【図６】
2004028658.tif 000008
【図７】
2004028658.tif 000009
【図８】
2004028658.tif 000010